(57)【要約】【課題】本発明は光電素子を提供する。【解決手段】光電素子は、縁を有する基板と；前記基板に３行に配置されるように位置して矩形を成し且つ互いに電気的に接続される複数の半導体ユニットであって、前記３行の各々は、前記複数の半導体ユニット中の複数を含み、各前記半導体ユニットは、第一半導体層、第二半導体層、及び前記第一半導体層と前記第二半導体層との間における活性領域を含み、該３行中の任意の１行に位置する半導体ユニットの矩形形状は、他の２行における半導体ユニットの矩形形状とは異なる、複数の半導体ユニットと；それぞれ前記第一半導体層に位置し且つ第一電極の配置構造を有する複数の第一電極であって、前記３行中の任意の１行に位置する半導体ユニットの前記第一電極の配置構造は、他の２行における半導体ユニットの前記第一電極の配置構造とは異なる、複数の第一電極と；それぞれ前記第二半導体層に位置する複数の第二電極と；を含む。【選択図】図１
2016021595.tif 000002
【特許請求の範囲】
【請求項１】
光電素子であって、
縁を有する基板と、
前記基板に複数行に配置されるように位置して矩形を成し且つ互いに電気的に接続される複数の半導体ユニットであって、前記複数行の各々は、前記複数の半導体ユニットのうちの複数のものを含み、前記複数の半導体ユニットの各々は、第一半導体層、第二半導体層、及び、前記第一半導体層と前記第二半導体層との間における活性領域を含み、前記複数行はは、３行を含み、該３行のうちの任意の１行に位置する半導体ユニットの矩形の形状は、他の２行における半導体ユニットの矩形の形状とは異なる、複数の半導体ユニットと、
それぞれ前記第一半導体層に位置し且つ第一電極の配置構造を有する複数の第一電極であって、前記３行のうちの任意の１行に位置する半導体ユニットの前記第一電極の配置構造は、他の２行における半導体ユニットの前記第一電極の配置構造とは異なる、複数の第一電極と、
それぞれ前記第二半導体層に位置する複数の第二電極と、
を含み、
前記複数の第一電極のうちの少なくとも一つは、第一延在部を含み、
前記複数の第二電極のうちの少なくとも一つは、第二延在部を含む、光電素子。
【請求項２】
二つの隣接する半導体ユニットの間に形成され、前記二つの隣接する半導体ユニットを電気的に直列接続する複数の連結部を更に含み、
前記複数の第一電極のうちの少なくとも一つは、互いに分離した複数の第一延在部を含み、
前記複数の連結部は、それぞれ、前記複数の第一延在部とは一対一の接続を形成する、請求項１に記載の光電素子。
【請求項３】
前記第一延在部及び前記第二延在部のうちの少なくとも一つは、直線延在部、又は、前記複数の半導体ユニットの任意の一辺に平行でない曲線延在部を含み、
前記第一延在部及び前記第二延在部のうちの少なくとも一つは、二級延在部を含む、請求項１に記載の光電素子。
【請求項４】
前記第一延在部又は前記第二延在部は、直線延在部、又は、前記複数の半導体ユニットの任意の一辺に平行でない曲線延在部を含む、請求項１に記載の光電素子。
【請求項５】
前記複数の半導体ユニットは、第一半導体ユニットと、第二半導体ユニットと、第三半導体ユニットと、を含み、
前記複数の第一電極のうちの一つは、第一電極パッドを有し、前記第一電極パッドは、前記第一半導体ユニットに位置し、前記第一半導体ユニットは、前記基板のコーナー領域に位置し、
前記複数の第二電極のうちの一つは、第二電極パッドを有し、前記第二電極パッドは、前記第二半導体ユニットに位置し、前記第二半導体ユニットは、前記基板の他のコーナー領域に位置し、
前記第一延在部及び前記第二延在部は、電極パッドがない前記第三半導体ユニットに位置する、請求項１に記載の光電素子。
【請求項６】
前記第一半導体ユニットに位置する前記第一電極は、更に、前記第一電極パッドに接触する延在部を含み、且つ／又は、前記第二半導体ユニットに位置する前記第二電極は、更に、前記第二電極パッドに接触する延在部を含む、請求項５に記載の光電素子。
【請求項７】
前記複数の半導体ユニットの任意の一つにある、前記第一延在部は、該半導体ユニットの第一辺から該第一辺に相対する第二辺に延び、前記第二延在部は、該半導体ユニットの前記第二辺から前記第一辺に延びる、請求項１に記載の光電素子。
【請求項８】
前記３行のうちの任意の１行に含まれる半導体ユニットの数は、他の２行の各々に含まれる半導体ユニットの数とは異なる、請求項１に記載の光電素子。
【請求項９】
前記複数の半導体ユニットの面積はほぼ同じである、請求項１に記載の光電素子。
【請求項１０】
前記他の２行における半導体ユニットの前記複数の第一電極の配置構造は異なる、請求項１に記載の光電素子。
【発明の詳細な説明】
【技術分野】
【０００１】
本発明は発光素子アレイに関する。
【背景技術】
【０００２】
固体照明素子のうち、発光ダイオードは低消費電力、低発熱、長寿命、耐衝突、小型、快速応答及び安定した波長の単色光の発出可能などの良好な光電特性を有しているため、家電、メーターの表示灯及び光電製品等に幅広く適用されている。光電技術の発展において、固体照明素子は発光効率、寿命及び輝度に注視し、近い将来に照明の適用において主流になると予期される。
【０００３】
現在、ＬＥＤはアレイ型発光素子の形で用いられ、高い駆動電圧の応用によく適用され、ＬＥＤの体積及び重量を減少することができる。ＬＥＤ製造者は、高い駆動電圧ＬＥＤに対するユーザーの要求に応じるように、アレイ型発光素子に対して異なる電極配置構造を設計し、これにより、コストを下げ、製造率を向上させる。
【発明の概要】
【発明が解決しようとする課題】
【０００４】
本発明は光電素子を提供する。
【課題を解決するための手段】
【０００５】
本発明の光電素子であって、基板と、この基板に位置し、それぞれ第一半導体層、第二半導体層及びその間にある活性領域を有し、相互電気的に接続されている複数の半導体ユニットと、それぞれ第一半導体層に位置する複数の第一電極と、この複数の半導体ユニットに形成されて複数の半導体ユニットを電気的に直列につなぐ連結部と、それぞれ第二半導体層に位置する複数の第二電極と、を含み、一つの第一電極が第一延在部を有し、一つの第二電極が第二延在部を有する。
【０００６】
本発明の光電素子であって、基板と、この基板に位置し、それぞれ第一半導体層、第二半導体層及びその間にある活性領域を有し、相互電気的に接続されている複数の半導体ユニットと、それぞれ第一半導体層に位置する複数の第一電極と、この複数の半導体ユニットに形成されて複数の半導体ユニットを電気的に直列につなぐ連結部と、それぞれ第二半導体層に位置する複数の第二電極と、を含み、一つの第一電極が第一延在部を有し、一つの第二電極が第二延在部を有し、この複数の半導体ユニットの駆動電圧は大体同様である。
【０００７】
本発明の光電素子であって、基板と、この基板に位置し、それぞれ第一半導体層、第二半導体層及びその間にある活性領域を有し、相互電気的に接続されている複数の半導体ユニットと、それぞれ第一半導体層に位置する複数の第一電極と、それぞれ第二半導体層に位置する複数の第二電極とを含み、複数の半導体ユニットは第一半導体ユニットと、第二半導体ユニットと、第三半導体ユニットを含み、第一電極の中の少なくとも一つは基板の最外側にある第一半導体ユニットに位置する第一電極パッドを有し、第二電極の中の少なくとも一つは基板の最外側にある第二半導体ユニットに位置する第二電極パッドを有し、第一電極及び第二電極は電極パッドがない第三半導体ユニットに位置する第一延在部及び第二延在部を有する。
【０００８】
本発明の光電素子であって、基板と、この基板に位置し、それぞれ第一半導体層、第二半導体層及びその間にある活性領域を有し、相互電気的に接続されている複数の半導体ユニットと、それぞれ複数の半導体ユニットに位置する複数の第一電極及び複数の第二電極とを含み、各半導体ユニットは第一半導体ユニット、第二半導体ユニット及び第三半導体ユニットを含み、第一電極の中の少なくとも一つは第一半導体ユニットの第二半導体層に位置する第一電極パッドを有し、第二電極の中の少なくとも一つは第二半導体ユニットの第二半導体層に位置する第二電極パッドを有し、第一電極及び第二電極は電極パッドがない第三半導体ユニットに位置する第一延在部及び第二延在部を有する。
【図面の簡単な説明】
【０００９】
【図１】本発明の実施例による光電素子の上面図である。
【図２】図１に示された光電素子の断面図である。
【図３】図１に示された光電素子の３Ｄ斜視図である。
【図４】図１に示された光電素子の等価回路図である。
【図５】本発明の実施例による光電素子の上面図である。
【図６】図５に示された光電素子の３Ｄ斜視図である。
【図７】図５に示された光電素子の等価回路図である。
【図８】本発明の実施例による光電素子の上面図である。
【図９】図８に示された光電素子の３Ｄ斜視図である。
【図１０】図８に示された光電素子の等価回路図である。
【図１１】本発明の実施例による光電素子の上面図である。
【図１２】図１１に示された光電素子の３Ｄ斜視図である。
【図１３】図１１に示された光電素子の等価回路図である。
【図１４】本発明の実施例による光電素子の上面図である。
【図１５】図１４に示された光電素子の３Ｄ斜視図である。
【図１６】図１４に示された光電素子の等価回路図である。
【図１７】本発明の実施例による光電素子の上面図である。
【図１８】図１７に示された光電素子の３Ｄ斜視図である。
【図１９】図１７に示された光電素子の等価回路図である。
【図２０】本発明の実施例による光電素子の上面図である。
【図２１】図２０に示された光電素子の３Ｄ斜視図である。
【図２２】図２０に示された光電素子の等価回路図である。
【図２３】本発明の実施例による光電素子の上面図である。
【図２４】図２３に示された光電素子の３Ｄ斜視図である。
【図２５】本発明の実施例による光電素子の上面図である。
【発明を実施するための形態】
【００１０】
図１は本発明の実施例による光電素子１０の上面図である。光電素子１０は、例えば発光ダイオード（ＬＥＤ）、レーザーダイオード（ＬＤ）又は太陽電池であり、基板１１に形成された複数の半導体ユニットを含み、第一電極１４１、第二電極１４２及び連結部１４３が半導体ユニットに形成されている。本実施例において、光電素子１０は発光ダイオード（ＬＥＤ）である。図２は図１に示された光電素子１０のＡ−Ａ′線の断面図である。各半導体ユニットは第一半導体層１２１、第二半導体層１２３及び第一半導体層１２１と第二半導体層１２３の間に形成された活性領域１２２を含む。第一半導体層１２１と第二半導体層１２３は、ｐ型又はｎ型の不純物を混合したＩＩＩ−Ｖ半導体材料から構成され、電気特性が相互異なる。活性領域１２２は、単一へテロ構造（ＳＨ）、ダブルへテロ構造（ＤＨ）又は多重量子井戸構造（ＭＱＷ）である。スロット１７０は半導体ユニットをエッチングすることによって半導体ユニットに形成され、一部の第一半導体層１２１を露出する。半導体ユニット間に複数の隔溝１１１が形成され、一部の基板１１を露出する。光電素子１０は複数の第一電極１４１及び第二電極１４２を有し、第一電極１４１は露出された第一半導体層１２１に形成され、第二電極１４２は第二半導体層１２３に形成される。第一電極１４１は第一延在部１４１１を有し、第二電極１４２は第二延在部１４２１を有する。また、複数の半導体ユニット中の一つの半導体ユニットの第一電極１４１は第一電極パッド１４１２を有し、別の一つの半導体ユニットの第二電極１４２は第二電極パッド１４２２を有する。
【００１１】
光電素子の特定面積、電流及び駆動電圧に対するユーザーの要求を満足するために、半導体ユニット及び電極の配置を特別に設計する必要がある。半導体ユニットの数量は基本的に式
（数１）  ｎ＝ｖ／ｖｆ  −１
（数２）  ｎ＝ｖ／ｖｆ
又は、
（数３）  ｎ＝ｖ／ｖｆ  ＋１
（その内、ｎは半導体ユニットの数量、Ｖは光電素子の駆動電圧、Ｖｆは半導体ユニットの駆動電圧を示す）によって設計する。本実施例において、光電素子１０の寸法は８５×８５ｍｉｌ２であり、その駆動電圧は７２Ｖである。個々の半導体ユニットの駆動電圧は実に３Ｖであるが、半導体ユニットの駆動電圧は工程に対する制御及びエピタキシャル層の品質によって変化することがある。通常、光電素子の電気特性の効率上、半導体ユニットの駆動電圧は低いほどよい。各半導体ユニットの面積はほぼ同様である。上記の式によると、光電素子１０は２４個の半導体ユニットを有し、それぞれ行１０５、１０６、１０７、１０８及び１０９に配置される。第一行１０５には五個の半導体ユニット１５１、１５２、１５３、１５４及び１５５を有し、第一方向に沿って直列につながり、第二行１０６には五個の半導体ユニット１６１、１６２、１６３、１６４及び１６５を有し、第二方向に沿って直列につながり、第三行１０７には四個の半導体ユニット１７１、１７２、１７３及び１７４を有し、第一方向に沿って直列につながり、第四行１０８には五個の半導体ユニット１８１、１８２、１８３、１８４及び１８５を有し、第二方向に沿って直列につながり、第五行１０９には五個の半導体ユニット１９１、１９２、１９３、１９４及び１９５を有し、第一方向に沿って直列につながる。第一方向及び第二方向は相反する方向であり、異なる行に異なる数量の半導体ユニットを有する配置構造は、配置上ユーザーの要求をさらに容易に満たすことができる。
【００１２】
第三行１０７において、半導体ユニットの形状は長方形（矩形）で、他の行にある半導体ユニットの形状と異なる。このように設計することによって、電極の配置構造を更に容易にすることができる。図１及び図３を参考するに、第一行１０５及び第五行１０９において、基板１１のコーナー領域にある半導体ユニット１５１、１５５、１９１及び１９５を除いて、他の半導体ユニットの電極の配置構造は類似している。第二行１０６及び第四行１０８において、基板１１の縁に近接する半導体ユニット１６１、１６５、１８１及び１８５を除いて、他の半導体ユニットの電極配置構造は同様である。第三行１０７にある半導体ユニットは、その電極配置構造が他の行にある半導体ユニットと比べて大きく相違し、その中の半導体ユニット１７２及び１７３の電極配置構造は同様であるが、基板１１の縁に近接する半導体ユニット１７１及び１７４の電極配置構造は相互異なる。
【００１３】
第一延在部１４１１は第一曲線延在部１４１１ａを有し、第二延在部１４２１は第二曲線延在部１４２１ａを有し、行１０５、１０６、１０８及び１０９にある半導体ユニットの第二延在部１４２１はさらに直線延在部１４２１ｂを有し、第一曲線延在部１４１１ａ及び／又は第二曲線延在部１４２１ａは半導体ユニットの何れかの一辺にも平行しない。第一行１０５、第三行１０７及び第五行１０９にある半導体ユニット上の第一延在部１４１１は、スロット１７０の中に位置し、半導体ユニットの第一辺から第一辺に相対する第二辺へ延び、第二延在部１４２１は半導体ユニットの第二辺から第一辺へ延びる。第二行１０６及び第四行１０８の半導体ユニット上の第一延在部１４１１は、半導体ユニットの第二辺から第一辺へ延び、第二延在部１４２１は半導体ユニットの第一辺から第二辺へ延びる。本実施例において、第二延在部１４２１は大体半導体ユニットの縁に近接して設けられ、第一延在部１４１１は半導体ユニットのスロット１７０の中に配置されて、第一半導体層１２１と電気接続されている。延在部の数量は半導体ユニットの面積によって調整され、半導体ユニットの面積が大きい場合、数多くの延在部が必要になる。さらに、延在部は第一曲線延在部１４１１ａから延びて形成された二級延在部１４１１ｃ及び／又は第二曲線延在部１４２１ａから延びて形成された二級延在部１４２１ｃを有して、電流分散を増加することができる。
【００１４】
第一電極パッド１４１２及び第二電極パッド１４２２は、それぞれ基板１１の相対するコーナーにある半導体ユニット１５５及び１９１に位置し、第一電極パッド１４１２は半導体ユニット１５５にある第一延在部１４１１と接続し、第二電極パッド１４２２は半導体ユニット１９１にある第二延在部１４２１と接続する。電極パッドは、ワイヤボンディング（ｗｉｒｅ  ｂｏｎｄｉｎｇ）又はフリップチップ型ボンディング（ｆｌｉｐ  ｃｈｉｐ  ｔｙｐｅ  ｂｏｎｄｉｎｇ）に用いられる。接続の難度を下げるために、電極パッドはそれぞれ基板１１の一番外側にある異なる半導体ユニットに配置されるのが好ましい。
【００１５】
各半導体ユニットを電気接続するために、各半導体ユニットの間に連結部１４３を形成する。連結部１４３は、例えば第一半導体ユニットの第一延在部１４１１及びそれに隣接する第二半導体ユニットの第二延在部１４２１と接続する。本実施例において、連結部１４３は第一行１０５、第三行１０７及び第五行１０９で半導体ユニットを第一方向へ直列させ、第二行１０６及び第四行１０８で半導体ユニットを逆方向としての第二方向へ直列させる。各行の間は、連結部１４３を介して半導体ユニット１５１と１６１、１６５と１７４、１７１と１８１及び１８５と１９５を直列につなぐ。第一行１０５、第二行１０６、第四行１０８及び第五行１０９において、二つ毎の半導体ユニットの間に二つの連結部１４３が存在し、第三行１０７において、二つ毎の半導体ユニットの間に一つの連結部１４３が存在する。図４は図１に示された光電素子１０の等価回路図である。
【００１６】
光電素子１０の第二半導体層１２３と第二電極１４２の間に更に透明導電層を含み、透明導電層の材料は、例えば酸化インジウム錫（ＩＴＯ）、酸化カドミウム錫（ＣＴＯ）、酸化アンチモンスズ、酸化インジウム亜鉛、酸化亜鉛アルミニウム又は亜鉛―スズ酸化物のような金属酸化材料を用いることができる。一方、金属層が光束を透過させる厚さを有する場合、この金属層を透明導電層として用いることもできる。
【００１７】
また、基板１１と第一半導体層１２１の間に更に接合層を含み、半導体ユニットを基板１１に接合することができる。接合層は透明絶縁接合層又は透明導電接合層である。透明絶縁接合層である場合、その材料はポリイミド（ｐｏｌｙｉｍｉｄｅ）、ベンゾシクロブテン（ＢＣＢ）又は過フルオロシクロブタン（ＰＦＣＢ）であり、導電接合層である場合、その材料は金属酸化材料又は金属である。金属酸化材料として、酸化インジウム錫（ＩＴＯ）、酸化カドミウム錫（ＣＴＯ）、酸化アンチモンスズ、酸化インジウム亜鉛、酸化亜鉛アルミニウム又は亜鉛―スズ酸化物を含み、金属材料として、ニッケル、金、チタン、クロム、アルミニウム又は白金を含む。隔溝１１１は各半導体ユニットの間に形成され、一部の基板１１及び／又は透明絶縁接合層を露出する。接合層が導電接合層である場合、隔溝１１１は導電接合層を通り抜いて基板１１を露出し、各半導体ユニットが互いに電気的に絶縁されるようにする。この場合、基板１１は、窒化アルミニウム（ＡｌＮ）、サファイア又はガラスである。
【００１８】
図５は本発明の第二実施例による光電素子２０の上面図である。図５、図６を参照するに、光電素子２０は基板２１に形成され、且つ複数の隔溝２１１によって仕切った複数の半導体ユニットを含み、第一電極２４１、第二電極２４２及び連結部２４３が半導体ユニットに形成される。半導体ユニットの構造は光電素子１０の半導体ユニットと同様であり、第一半導体層１２１と、第二半導体層１２３と、第一半導体層１２１及び第二半導体層１２３の間に設けられた活性領域１２２を含む。複数の隔溝２１１は各半導体ユニットの間に形成される。光電素子２０には複数の第一電極２４１及び第二電極２４２が設けられ、第一電極２４１は露出された第一半導体層１２１に形成され、第二電極２４２は第二半導体層１２３に形成される。第一電極２４１は第一延在部２４１１を有し、第二電極２４２は第二延在部２４２１を有する。更に、複数の半導体ユニットにおいて、一つの半導体ユニットの第一電極２４１は第一電極パッド２４１２を含み、別の一つの半導体ユニットの第二電極２４２は第二電極パッド２４２２を含む。
【００１９】
本実施例において、光電素子２０の寸法は８５×８５ｍｉｌ２であり、駆動電圧は７２Ｖであり、個々の半導体ユニットの面積はほぼ同様であり、上記の式（数１を参照）によって、光電素子２０は２３個の半導体ユニットを含み、それぞれ行２０５、２０６、２０７、２０８及び２０９に配置されている。第一行２０５には第一方向に沿って直列につながる五個の半導体ユニット２５１、２５２、２５３、２５４及び２５５を有し、電極の配置構造は光電素子１０の第一行１０５の半導体ユニットにある電極配置構造と等しい。第二行２０６には第二方向に沿って直列につながる四個の半導体ユニット２６１、２６２、２６３及び２６４を有し、電極の配置構造は光電素子１０の第三行１０７の半導体ユニットにある電極配置構造と等しい。第三行２０７には第一方向に沿って直列につながる五個の半導体ユニット２７１、２７２、２７３、２７４及び２７５を有し、電極の配置構造は光電素子１０の第一行１０５の半導体ユニットにある電極配置構造と等しい。第四行２０８には第二方向に沿って直列につながる四個の半導体ユニット２８１、２８２、２８３及び２８４を有し、電極の配置構造は光電素子１０の第三行１０７の半導体ユニットにある電極配置構造と等しい。第五行２０９には第一方向に沿って直列につながる五個の半導体ユニット２９１、２９２、２９３、２９４及び２９５を有し、電極の配置構造は光電素子１０の第一行１０５の半導体ユニットにある電極配置構造と等しい。
【００２０】
第二行２０６及び第四行２０８において、半導体ユニットの形状は長方形で、他の行にある半導体ユニットの形状と異なる。図５及び図６を参照するに、第一行２０５、第三行２０７及び第五行２０９の半導体ユニットの電極配置構造は、半導体ユニット２５１、２５５、２７１、２７５、２９１及び２９５の電極を除いて、他の半導体ユニットの電極配置構造がほぼ類似し、第二行２０６及び第四行２０８の半導体ユニットの電極配置構造は、半導体ユニット２６１、２６４、２８１及び２８４の電極を除いて、他の半導体ユニットの電極配置構造がほぼ類似する。第一延在部２４１１は第一曲線延在部２４１１ａを含み、第二延在部２４２１は第二曲線延在部２４２１ａを含む。行２０５、２０７及び２０９の半導体ユニットにおいて、第二延在部２４２１は更に直線延在部２４２１ｂを含む。第一曲線延在部２４１１ａ及び第二曲線延在部２４２１ａは、半導体ユニットのいずれかの一辺にも平行しない。第一行２０５、第三行２０７及び第五行２０９の半導体ユニットの第一延在部２４１１は第一半導体層１２１に設けられ、半導体ユニットの第一辺から第一辺に相対する第二辺へ延び、第二延在部２４２１は半導体ユニットの第二辺から第一辺へ延びる。第二行２０６及び第四行２０８の半導体ユニット上の第一延在部２４１１は、半導体ユニットの第二辺から第一辺へ延び、第二延在部２４２１は半導体ユニットの第一辺から第二辺へ延びる。本実施例において、第二延在部２４２１は大体半導体ユニットの縁に近接して設けられ、第一延在部２４１１は半導体ユニットに配置されて、第一半導体層と電気接続されている。さらに、延在部は第一曲線延在部２４１１ａから延びて形成された二級延在部２４１１ｃを有して、電流分散を増加することができる。
【００２１】
第一電極パッド２４１２及び第二電極パッド２４２２はそれぞれ半導体ユニット２５５及び２９１に形成され、第一電極パッド２４１２は半導体ユニット２５５の第一延在部２４１１と接続し、第二電極パッド２４２２は半導体ユニット２９１の第二延在部２４２１と接続する。電極パッドはボンディング用として、それぞれ基板２１のコーナー領域にある異なる半導体ユニットに配置される。
【００２２】
本実施例において、連結部２４３は第一行２０５、第三行２０７及び第五行２０９で半導体ユニットを第一方向へ直列させ、第二行２０６及び第四行２０８で半導体ユニットを逆方向としての第二方向へ直列させる。各行の間は、連結部２４３を介して半導体ユニット２５１と２６１、２６４と２７５、２７１と２８１及び２８４と２９５を直列につなぐ。第一行２０５、第三行２０７及び第五行２０９において、二つ毎の半導体ユニットの間に二つの連結部２４３が存在し、第二行２０６及び第四行２０８において、二つ毎の半導体ユニットの間に一つの連結部２４３が存在する。図７は図５に示された光電素子２０の等価回路図である。
【００２３】
図８は本発明の第三実施例による光電素子３０の上面図である。図８、図９を参照するに、光電素子３０は基板３１に形成された複数の半導体ユニットを含み、第一電極３４１、第二電極３４２及び連結部３４３が半導体ユニットに形成される。半導体ユニットは第一半導体層１２１と、第二半導体層１２３と、第一半導体層１２１及び第二半導体層１２３の間に設けられた活性領域１２２を含む。また、複数の隔溝３１１が各半導体ユニットの間に形成される。光電素子３０には複数の第一電極３４１及び第二電極３４２が設けられ、第一電極３４１は第一延在部３４１１を有し、半導体ユニット３５５以外の半導体ユニットに形成され、第二電極３４２は第二延在部３４２１を有する。更に、半導体ユニット３５５上の第一電極３４１は第一電極パッド３４１２を含み、半導体ユニット３９１上の第二電極３４２は第二電極パッド３４２２を含む。  本実施例において、光電素子３０の寸法は５０×５０ｍｉｌ２であり、駆動電圧は７２Ｖであり、半導体ユニットの駆動電圧は３Ｖであり、各半導体ユニットの面積はほぼ同様である。光電素子３０は２３個の半導体ユニットを含み、それぞれ行３０５、３０６、３０７、３０８及び３０９に配置されている。第一行３０５には第一方向に沿って直列につながる五個の半導体ユニット３５１、３５２、３５３、３５４及び３５５を有し、第二行３０６には第二方向に沿って直列につながる四個の半導体ユニット３６１、３６２、３６３及び３６４を有し、第三行３０７には第一方向に沿って直列につながる五個の半導体ユニット３７１、３７２、３７３、３７４及び３７５を有し、第四行３０８には第二方向に沿って直列につながる四個の半導体ユニット３８１、３８２、３８３及び３８４を有し、第五行３０９には第一方向に沿って直列につながる五個の半導体ユニット３９１、３９２、３９３、３９４及び３９５を有する。
【００２４】
第二行３０６及び第四行３０８において、半導体ユニットの形状は他の行にある半導体ユニットの形状と異なる。図８及び図９を参照するに、第一行３０５、第三行３０７及び第五行３０９の半導体ユニットの電極配置構造は、半導体ユニット３５１、３５５、３７１、３７５、３９１及び３９５の電極を除いて、他の半導体ユニットの電極配置構造がほぼ類似し、第二行３０６及び第四行３０８の半導体ユニットの電極配置構造は、半導体ユニット３６１、３６４、３８１及び３８４の電極を除いて、他の半導体ユニットの電極配置構造がほぼ類似する。第一延在部３４１１は、基板３１の周囲に接近する半導体ユニット３６１、３７５、３８１、３９１及び３９５に設けられた曲線延在部３４１１ａであり、他の半導体ユニットに設けられた直線延在部３４１１ｂでもある。第二延在部３４２１は曲線延在部である。  第一行３０５、第三行３０７及び第五行３０９において、半導体ユニット３７５、３９５を除く他の半導体ユニットの第一延在部３４１１は、半導体ユニットの第一辺から第一辺に相対する第二辺へ延び、第二延在部３４２１は半導体ユニットの第二辺から第一辺へ延びる。半導体ユニット３７５及び３９５の第一延在部３４１１は半導体ユニットの第三辺から第二辺へ延びる。第二行３０６及び第四行３０８において、半導体ユニット３６１及び３８１を除くほかの半導体ユニットの第一延在部３４１１は、半導体ユニットの第二辺から第一辺へ延び、第二延在部３４２１は半導体ユニットの第一辺から第二辺へ延びる。半導体ユニット３６１及び３８１の第一延在部３４１１は半導体ユニット３６１及び３８１の第三辺から第一辺へ延びる。第一延在部３４１１の曲線延在部及び第二延在部３４２１は半導体ユニットのいずれかの一辺にも平行しない。本実施例において、第二延在部３４２１は大体半導体ユニットの縁に近接して設けられ、第一延在部３４１１は半導体ユニットに配置されて、第一半導体層と電気接続されている。さらに、延在部は曲線延在部３４１１ａ及び直線延在部３４１１ｂから延びて形成された二級延在部３４１１ｃを有して、電流分散を増加することができる。
【００２５】
第一電極パッド３４１２及び第二電極パッド３４２２はそれぞれ半導体ユニット３５５及び３９１に形成され、第二電極パッド３４２２は半導体ユニット３９１の第二延在部３４２１と接続する。電極パッドはワイヤボンディング（ｗｉｒｅ  ｂｏｎｄｉｎｇ）又はフリップチップ型ボンディング（ｆｌｉｐ  ｃｈｉｐ  ｔｙｐｅ  ｂｏｎｄｉｎｇ）に用いられ、それぞれ基板３１のコーナー領域にある異なる半導体ユニットに配置される。
【００２６】
本実施例において、連結部３４３は第一行３０５、第三行３０７及び第五行３０９で半導体ユニットを第一方向へ直列させ、第二行３０６及び第四行３０８で半導体ユニットを逆方向としての第二方向へ直列させる。各行の間は、連結部３４３を介して半導体ユニット３５１と３６１、３６４と３７５、３７１と３８１及び３８４と３９５を直列につなぐ。二つ毎の半導体ユニットの間に一つの連結部３４３が存在する。図１０は図８に示された光電素子３０の等価回路図である。
【００２７】
図１１は本発明の第四実施例による光電素子４０の上面図である。図１１、図１２を参照するに、光電素子４０は基板４１に形成された複数の半導体ユニットを含み、第一電極４４１、第二電極４４２及び連結部４４３が半導体ユニットに形成される。半導体ユニットは第一半導体層１２１と、第二半導体層１２３と、第一半導体層１２１及び第二半導体層１２３の間に設けられた活性領域１２２を含む。また、複数の隔溝４１１が各半導体ユニットの間に形成される。光電素子４０には複数の第一電極４４１及び第二電極４４２が設けられ、第一電極４４１は第一延在部４４１１を有し、半導体ユニット４５５以外の半導体ユニットに形成され、半導体ユニット４７１以外の半導体ユニットに形成された第二電極４４２は第二延在部４４２１を有する。更に、半導体ユニット４５５上の第一電極４４１は第一電極パッド４４１２を含み、半導体ユニット４７１上の第二電極４４２は第二電極パッド４４２２を含む。  本実施例において、光電素子４０の寸法は４５×４５ｍｉｌ２であり、駆動電圧は４８Ｖであり、半導体ユニットの駆動電圧は３Ｖである。上記の式によって、光電素子４０は１６個の半導体ユニットを含み、それぞれ行４０５、４０６及び４０７に配置されている。第一行４０５には第一方向に沿って直列につながる五個の半導体ユニット４５１、４５２、４５３、４５４及び４５５を有し、第二行４０６には第二方向に沿って直列につながる六個の半導体ユニット４６１、４６２、４６３、４６４、４６５及び４６６を有し、第三行４０７には第一方向に沿って直列につながる五個の半導体ユニット４７１、４７２、４７３、４７４及び４７５を有する。
【００２８】
第二行４０６にある半導体ユニットの形状は他の行にある半導体ユニットの形状と異なる。図１１及び図１２を参照するに、第一行４０５及び第三行４０７の半導体ユニットの電極配置構造は、半導体ユニット４５１、４５５、４７１及び４７５上の電極を除いて、他の半導体ユニットの電極配置構造がほぼ類似する。第一延在部４４１１は直線延在部４４１１ａ及び二級延在部４４１１ｃを含み、全ての第二延在部４４２１は曲線の延在部である。第一行４０５及び第三行４０７にある半導体ユニットの第一延在部４４１１は、半導体ユニットの第一辺から第一辺に隣接する第三辺及び第四辺へ延び、第二延在部４４２１は半導体ユニットの第二辺から第三辺及び第四辺へ延びる。第二行４０６にある半導体ユニット上の第一延在部４４１１は、半導体ユニットの第二辺から第三辺及び第四辺へ延び、第二延在部４４２１は半導体ユニットの第一辺から第三辺及び第四辺へ延びる。曲線延在部４４１１及び４４２１は半導体ユニットのいずれかの一辺にも平行しない。
【００２９】
第一電極パッド４４１２及び第二電極パッド４４２２はそれぞれ半導体ユニット４５５及び４７１に形成され、連結部４４３は半導体ユニットを直列につなぐ。図１３は図１１に示された光電素子４０の等価回路図である。  図１４は本発明の第五実施例による光電素子５０の上面図である。図１５は光電素子５０の３Ｄ斜視図である。光電素子５０の寸法は４０×４０ｍｉｌ２であり、駆動電圧は３６Ｖであり、半導体ユニットの駆動電圧は約３Ｖである。式（数１を参照）によって、本実施例で、光電素子５０は１１個の半導体ユニットを含み、それぞれ行５０５、５０６及び５０７に配置されている。第一行５０５には第一方向に沿って直列につながる四個の半導体ユニット５５１、５５２、５５３及び５５４を有し、第二行５０６には第二方向に沿って直列につながる三個の半導体ユニット５６１、５６２及び５６３を有し、第三行５０７には第一方向に沿って直列につながる四個の半導体ユニット５７１、５７２、５７３及び５７４を有する。第一延在部５４１１を有する第一電極５４１は半導体ユニット５５４以外の半導体ユニットに形成され、第二延在部５４２１を有する第二電極５４２は全ての半導体ユニットに形成される。半導体ユニット５５４上の第一電極５４１は第一電極パッド５４１２を含み、半導体ユニット５７１上の第二電極５４２は第二電極パッド５４２２を含む。連結部５４３は半導体ユニットを直列につなぐ。図１６は図１４に示された光電素子５０の等価回路図である。
【００３０】
図１７は本発明の第六実施例による光電素子６０の上面図である。図１８は光電素子６０の３Ｄ斜視図である。光電素子６０の寸法は１２０×１２０ｍｉｌ２であり、駆動電圧は２４Ｖであり、半導体ユニットの駆動電圧は約３Ｖである。式（数２を参照）によって、本実施例で、光電素子６０は８個の半導体ユニットを含み、それぞれ行６０５、６０６及び６０７に配置されている。第一行６０５には第一方向に沿って直列につながる二個の半導体ユニット６５１及び６５２を有し、第二行６０６には第二方向に沿って直列につながる四個の半導体ユニット６６１、６６２、６６３及び６６４を有し、第三行６０７には第一方向に沿って直列につながる二個の半導体ユニット６７１及び６７２を有する。第一電極６４１は第一延在部６４１１を有し、第二電極６４２は第二延在部６４２１を有する。さらに、複数の半導体ユニットの中、一つの半導体ユニットにある第一電極６４１は二つの第一電極パッド６４１２を有し、別の一つの半導体ユニットにある第二電極６４２は二つの第二電極パッド６４２２を有する。連結部６４３は半導体ユニットを直列につなぐ。図１９は図１７に示された光電素子６０の等価回路図である。
【００３１】
図２０は本発明の第七実施例による光電素子７０の上面図である。図２１は光電素子７０の３Ｄ斜視図である。光電素子７０の寸法は１２０×１２０ｍｉｌ２であり、駆動電圧は２４Ｖであり、半導体ユニットの駆動電圧は約３Ｖである。式（数１を参照）によって、本実施例で、光電素子７０は７個の半導体ユニットを含み、それぞれ行７０５、７０６及び７０７に配置されている。第一行７０５には第一方向に沿って直列につながる二個の半導体ユニット７５１及び７５２を有し、第二行７０６には第二方向に沿って直列につながる三個の半導体ユニット７６１、７６２及び７６３を有し、第三行７０７には第一方向に沿って直列につながる二個の半導体ユニット７７１及び７７２を有する。第一電極７４１は第一延在部７４１１を有し、第二電極７４２は第二延在部７４２１を有する。さらに、複数の半導体ユニットの中、一つの半導体ユニットにある第一電極７４１は二つの第一電極パッド７４１２を有し、別の一つの半導体ユニットにある第二電極７４２は二つの第二電極パッド７４２２を有する。連結部７４３は半導体ユニットを直列につなぐ。図２２は図２０に示された光電素子７０の等価回路図である。
【００３２】
図２３は本発明の第八実施例による光電素子８０の上面図である。図２４は光電素子８０の３Ｄ斜視図である。光電素子８０の寸法は８５×８５ｍｉｌ２であり、駆動電圧は１４４Ｖであり、半導体ユニットの駆動電圧は約３Ｖである。式（数２を参照）によって、本実施例で、光電素子８０は４８個の半導体ユニットを含み、それぞれ行８０１、８０２、８０３、８０４、８０５、８０６及び８０７に配置されている。行８０１、８０３、８０５及び８０７には第一方向に沿って直列につながる七個の半導体ユニットを有し、行８０２及び８０６には第二方向に沿って直列につながる七個の半導体ユニットを有し、第四行８０４には第一方向に沿って直列につながる六個の半導体ユニットを有する。複数の半導体ユニットの中、一つの半導体ユニットにある第一電極８４１は半導体ユニット８１１の第一半導体層１２１に位置する第一電極パッド８４１２を含み、半導体ユニット８７１にある第二電極８４２は第二半導体層１２３に位置する第二電極パッド８４２２を含む。さらに、第一延在部８４１１を有する第一電極８４１は、第一電極パッド８４１２が位置した半導体ユニット以外の半導体ユニットに位置し、第二延在部８４２１を有する第二電極８４２は全ての半導体ユニットに位置する。連結部８４３は半導体ユニットを直列につなぐ。第一電極パッド８４１２が位置する半導体ユニット８１１上の第二電極８４２は第二半導体層１２３に位置し、連結部８４３を介して半導体ユニット８１２の第一電極８４１に連結される。第二電極パッド８４２２が位置する半導体ユニット８７１上の第一電極８４１は第一半導体層１２１に位置し、連結部８４３を介して半導体ユニット８７２の第二電極８４２に連結される。
【００３３】
図２５は本発明の第九実施例による光電素子９０の上面図である。光電素子９０は４８個の半導体ユニットを含み、それぞれ行８０１、８０２、８０３、８０４、８０５、８０６及び８０７に配置されている。本実施例の光電素子９０は、その形状及び電極配置構造が光電素子８０と類似するが、第一電極パッド９４１２は半導体ユニット８１１の第二半導体層１２３に形成され、連結部８４３を介して半導体ユニット８１２の第一電極８４１と直列につながり、第二電極パッド９４２２は半導体ユニット８７１の第二半導体層１２３に形成され、連結部８４３を介して半導体ユニット８７２の第二電極８４２と直列につながる点で光電素子８０と相違する。ある外部電源から電流を供給し、第二電極パッド９４２２から入力して更に第一電極パッド９４１２から出力する場合、第二電極パッド９４２２の下の半導体ユニット８７１の抵抗が連結部８４３及び半導体ユニット８１２の第一電極８４１の直列接続抵抗より大きいため、電流は直接第二電極パッド９４２２から連結部８４３を経由して半導体ユニット８１２の第一電極８４１に流れ、半導体ユニット８７１の下の第一半導体層１２１、活性領域１２２及び第二半導体層１２３に流れない。同様な電流は、半導体ユニット８１２の第一電極８４１まで流れ、連結部８４３を経由して第一電極パッド９４１２に流れた後、半導体ユニット８１１の下方の第一半導体層１２１、活性領域１２２及び第二半導体層１２３に流れず、直接外部電源に出力される。従って、第一電極パッド９４１２及び第二電極パッド９４２２の下方の半導体ユニット８１１及び８７１には光が生じない。電極パッド及び下方の半導体ユニットを更に電気的に絶縁するために、電極パッド及び半導体ユニットの間に絶縁層が形成され、大電流によって電極パッドの下方にある半導体層を電流が突き抜けて短路になることを避ける。
【００３４】
第一電極パッド９４１２及び第二電極パッド９４２２の下方の半導体ユニットが発光しないため、第一電極パッド９４１２の面積は半導体ユニット８１１の面積とほぼ同様に形成され、第二電極パッド９４２２の面積は半導体ユニット８７１の面積とほぼ同様に形成されて、ワイヤー工程の歩留まりを向上させることができる。一方、光電素子９０において、第一電極パッド９４１２は光電素子８０中の第二電極パッド８４２２と組み合わせることができる。この場合、第一電極パッド９４１２は半導体ユニット８１１の第二半導体層１２３を全体的に覆うように形成され、第二電極パッド８４２２は半導体ユニット８７１の一部第二半導体層１２３に形成される。第一電極パッド９４１２の下方にある半導体ユニットには電流が流れないため、発光しない。第二電極パッド８４２２が位置する半導体ユニット８７１上の第一電極８４１は、連結部８４３を介して半導体ユニット８７２の第二電極８４２と連結され、電流が流れると、第二電極パッド８４２２が位置する半導体ユニット８７１は発光する。同様に、光電素子９０において、第二電極パッド９４２２は光電素子８０中の第一電極パッド８４１２と組み合わせることができる。この場合、第一電極パッド８４１２は半導体ユニット８１１の一部第一半導体層１２１に位置され、第二電極パッド９４２２は半導体ユニット８７１の第二半導体層１２３を全体的に覆うように形成される。第一電極パッドが位置する半導体ユニット８１１上の第二電極８４２は、連結部８４３を介して半導体ユニット８１２の第一電極８４１と連結され、電流が流れると、第一電極パッド８４２２が位置する半導体ユニット８１１は発光する。しかし、第二電極パッド９４２２に流れる電流は半導体ユニット８７１の活性領域１２２を通らず、直接連結部８４３を介して半導体ユニット８７２に流れるため、第二電極パッド９４２２が位置する半導体ユニット８７１は発光しない。
【００３５】
第一半導体層、活性層及び第二半導体層の材料は、Ｇａ、Ａｌ、Ｉｎ、Ａｓ、Ｐ、Ｎ及びＳｉから構成された群から選択された一つ又は複数の元素を含み、例えば、ＧａＮ、ＡｌＧａＮ、ＩｎＧａＮ、ＡｌＧａＩｎＮ、ＧａＰ、ＧａＡｓ、ＧａＡｓＰ、ＧａＮＡｓ又はＳｉである。基板の材料は、サファイア、ＧａＡｓ、ＧａＰ、ＳｉＣ、ＺｎＯ、ＧａＮ、ＡｌＮ、Ｃｕ又はＳｉを含む。
【００３６】
上記に挙げられた各実施例は、本発明を説明するためのものであり、本発明の範囲を制限するものではない。本発明に対して行った各種変更と修飾は、依然として本発明の範囲に属する。
【符号の説明】
【００３７】
１０、２０、３０、４０、５０、６０、７０、８０、９０  光電素子
１１、２１、３１、４１、５１、６１、７１、８１  基板
１４１、２４１、３４１、４４１、５４１、６４１、７４１、８４１  第一電極
１４２、２４２、３４２、４４２、５４２、６４２、７４２、８４２  第二電極
１４３、２４３、３４３、４４３、５４３、６４３、７４３、８４３  連結部
１２１  第一半導体層
１２３  第二半導体層
１２２  活性領域
１７０  スロット
１１１、３１１  隔溝
１４１１、２４１１、３４１１、４４１１、５４１１、６４１１、７４１１、８４１１  第一延在部
１４２１、２４２１、３４２１、４４２１、５４２１、６４２１、７４２１、８４２１  第二延在部
１４１２、２４１２、３４１２、４４１２、５４１２、６４１２、７４１２、８４１２、９４１２  第一電極パット
１４２２、２４２２、３４２２、４４２２、５４２２、６４２２、７４２２、８４２２、９４２２  第二電極パット
１０５〜１０９、２０５〜２０９、３０５〜３０９、４０５〜４０７、５０５〜５０７、６０５〜６０７、７０５〜７０７、８０１〜８０７  行
１５１〜１５５、１６１〜１６５、１７１〜１７４、１８１〜１８５、１９１〜１９５、２５１〜２５５、２６１〜２６４、２７１〜２７５、２８１〜２８４、２９１〜２９５、３５１〜３５５、３６１〜３６４、３７１〜３７５、３８１〜３８４、３９１〜３９５、４５１〜４５５、４６１〜４６６、４７１〜４７５、５５１〜５５４、５６１〜５６３、５７１〜５７４、６５１〜６５２、６６１〜６６４、６７１〜６７２、７５１〜７５２、７６１〜７６２、７６９、７７１〜７７２、８１１〜８１２、８７１〜８７２  半導体ユニット
１４１１ａ、２４１１ａ  第一曲線延在部
１４２１ａ、２４２１ａ  第二曲線延在部
１４２１ｂ、２４２１ｂ、３４１１ｂ、４４１１ａ  直線延在部
１４１１ｃ、１４２１ｃ、２４１１ｃ、３４１１ｃ、４４１１ｃ  二級延在部
３４１１ａ  曲線延在部
【図１】
2016021595.tif 000003
【図２】
2016021595.tif 000004
【図３】
2016021595.tif 000005
【図４】
2016021595.tif 000006
【図５】
2016021595.tif 000007
【図６】
2016021595.tif 000008
【図７】
2016021595.tif 000009
【図８】
2016021595.tif 000010
【図９】
2016021595.tif 000011
【図１０】
2016021595.tif 000012
【図１１】
2016021595.tif 000013
【図１２】
2016021595.tif 000014
【図１３】
2016021595.tif 000015
【図１４】
2016021595.tif 000016
【図１５】
2016021595.tif 000017
【図１６】
2016021595.tif 000018
【図１７】
2016021595.tif 000019
【図１８】
2016021595.tif 000020
【図１９】
2016021595.tif 000021
【図２０】
2016021595.tif 000022
【図２１】
2016021595.tif 000023
【図２２】
2016021595.tif 000024
【図２３】
2016021595.tif 000025
【図２４】
2016021595.tif 000026
【図２５】
2016021595.tif 000027